(57)【要約】【課題】簡易に調理器全体にゴキブリに対する忌避効果を継続して発揮する加熱調理器を提供することを目的とする。【解決手段】ファン７による冷却風に忌避効果を付与する忌避手段１２を備えたものである。これによって、簡易に調理器内部の隅々まで冷却風により忌避効果が継続的して発揮され、ゴキブリから加熱調理器を守ることができるものである。【選択図】図３
2005310520.tif 000002
【特許請求の範囲】
【請求項１】
加熱源と、加熱源への通電を制御する制御基板と、加熱コイルや制御基板を冷却するためのファンと、これら各要素を内蔵する外郭ケースと、前記ファンによる冷却風に忌避効果を付与する忌避手段とを備えた加熱調理器。
【請求項２】
忌避手段はファンの周囲に風を整流するために構成されたファンケースに施した請求項１に記載の加熱調理器。
【請求項３】
忌避手段は、ファンケースのうち、その上方部位に施した請求項２に記載の加熱調理器。
【請求項４】
忌避手段は忌避剤とこれを入れた忌避剤ケースより構成し、着脱可能に設けた請求項１に記載の加熱調理器。
【請求項５】
ファンによる吸気経路以外に、外郭ケース内部より一部の冷却風を再吸入する再吸気経路を設け、この再吸気経路の途中に忌避手段を設けた請求項１または４に記載の加熱調理器。
【請求項６】
忌避手段はファンによる吸気経路の吸気口から着脱可能とした請求項１、４、５のいずれか１項に記載の加熱調理器。
【請求項７】
外郭ケースを覆う天板の忌避手段との対向部分を透明にした請求項１、４、５、６のいずれか１項に記載の加熱調理器。
【請求項８】
忌避剤ケースは開閉自在に構成され、忌避剤を詰め替え可能とした請求項４に記載の加熱調理器。
【発明の詳細な説明】
【技術分野】
【０００１】
本発明は、内部へのゴキブリ侵入対策を施した加熱調理器に関するものである。
【背景技術】
【０００２】
この種の加熱調理器として、例えば、誘導加熱調理器では外郭ケースには、多数の穴が存在する。これは、吸気や排気に必要なものから、回動部分や摺動部分の隙間、部品と部品の締結部の隙間等、構成上どうしても避けられない穴や隙間がある。ゴキブリは、このような小さな穴や隙間から内部に侵入し、暗く、暖かく、えさのある場所を求めて、内部を徘徊する。調理器内部においては、このような場所は多数存在するが、最もゴキブリが溜まりやすい場所は、雰囲気温度が約３０℃で、暗く、狭く、外気吸入により脂等の付着の多い制御基板付近である。制御基板にゴキブリが接触すると、電気的な導通不良やショートにより調理器が故障にいたる場合もある。特に、幼齢期のゴキブリは、わずか０．５ｍｍの小さなすきまからでも侵入し、調理器の内部で成長し、卵を産んで増殖する。
【０００３】
これを未然に防ぐために、従来から、部品の開口部周囲に忌避剤を塗布して、調理器内部へのゴキブリの侵入を防止し、電装基板や乾電池による電気回路上の導通不良を防ぐ構成が知られている（例えば、特許文献１参照）。
【特許文献１】特開平１１−３４４２２７号公報
【発明の開示】
【発明が解決しようとする課題】
【０００４】
しかしながら、前記従来の構成では、外郭ケースにある全ての穴や隙間の周囲に忌避剤を塗布するということは、調理器の構成部品のすべてに忌避剤を塗布することとなり、非常に手間と費用がかかる。また、調理器の外郭ケースに忌避剤を塗布するということは、使用者が忌避剤に直接触れる機会が多く、すぐに忌避剤が拭き取られる可能性が多い。また、制御基板そのものや基板ベースだけに忌避剤を塗布することは、調理器内部にはゴキブリは侵入しやすく、制御基板以外のところに棲みついて増殖し、糞や死骸等が電気的に不具合を発生させることもあり、衛生的にも好ましくない。
【０００５】
本発明は、前記従来の課題を解決するもので、簡易に調理器全体に忌避効果を継続して発揮する加熱調理器を提供することを目的とする。
【課題を解決するための手段】
【０００６】
前記従来の課題を解決するために、本発明の加熱調理器は、ファンによる冷却風に忌避効果を付与する忌避手段を備えたものである。
【０００７】
これによって、簡易に調理器内部の隅々まで冷却風により忌避効果が継続的して発揮されるものである。
【発明の効果】
【０００８】
本発明の加熱調理器は、簡易に調理器全体に忌避効果を継続して発揮し、調理器全体をゴキブリから守ることができる。
【発明を実施するための最良の形態】
【０００９】
第１の発明は、加熱源と、加熱源への通電を制御する制御基板と、加熱コイルや制御基板を冷却するためのファンと、これら各要素を内蔵する外郭ケースと、前記ファンによる冷却風に忌避効果を付与する忌避手段とを備えたことにより、簡易に調理器内部の隅々まで冷却風により忌避効果が継続的して発揮され、調理器全体をゴキブリから守ることができる。
【００１０】
第２の発明は、特に、第１の発明において、忌避手段はファンの周囲に風を整流するために構成されたファンケースに施したことにより、使用者が忌避手段に直接触れる機会が少なく、かつ冷却風により忌避効果が継続的して発揮される。
【００１１】
第３の発明は、特に、第２の発明において、忌避手段は、ファンケースのうち、その上方部位に施したことにより、吸気口より侵入した水や油分等の液体が忌避手段に付着しにくくなり、忌避効果を効果的に発揮する。
【００１２】
第４の発明は、特に、第１の発明において、忌避手段は忌避剤とこれを入れた忌避剤ケースより構成し、着脱可能に設けたことにより、気化、蒸散しやすい忌避剤を使用する場合でも、定期的に忌避剤を新しくすることができ、忌避効果を長期にわたり継続させることができる。
【００１３】
第５の発明は、特に、第１または第４の発明において、ファンによる吸気経路以外に、外郭ケース内部より一部の冷却風を再吸入する再吸気経路を設け、この再吸気経路の途中に忌避手段を設けたことにより、内部を冷却した後の温かい風により、忌避剤の蒸散を促進させることができる。
【００１４】
第６の発明は、特に、第１、第４、第５のいずれか１つの発明において、忌避手段はファンによる吸気経路の吸気口から着脱可能としたことにより、施工業者ではなく一般の使用者も簡単に忌避手段を交換することができる。
【００１５】
第７の発明は、特に、第４の発明において、忌避剤ケースは開閉自在に構成され、忌避剤を詰め替え可能としたことにより、忌避剤の詰め替えで常に忌避効果を発揮することができる。
【００１６】
第８の発明は、特に、第１、第４、第５、第６のいずれか１つの発明において、外郭ケースを覆う天板の忌避手段との対向部分を透明にしたことにより、忌避手段の状態を目視で簡単に確認することができ、忌避効果が薄くなってくればすぐに対応することができる。
【００１７】
以下、本発明の実施の形態について、図面を参照しながら説明する。なお、この実施の形態によって本発明が限定されるものではない。
【００１８】
（実施の形態１）
図１〜図３は、本発明の実施の形態１における加熱調理器を示すものである。
【００１９】
本実施の形態においては、システムキッチンのカウンター枠に組み込んだ誘導加熱調理器を例示している。
【００２０】
図１に示すように、外郭ケース１の上には耐熱強化ガラス製の天板２が設けられ、その上で鍋を加熱して調理を行う。天板２の下には加熱源である複数の加熱コイル３がばねで天板２裏側に押し当てられるように設けられている。加熱コイル３の下方には、右側に仕切り板を介して複数のインバータ回路を内蔵した制御基板４が複数設置され、左側にロースター５があり、前面は右に開閉式の操作部６、左側にロースター５のドアが設けられている。操作部６は、回動式でありここに設けられた火力調節キーやタイマーキーの操作により制御基板４に電気信号が送られ、加熱コイル３の出力が制御されている。
【００２１】
加熱コイル３が駆動されると、天板２上の鍋が加熱されるが、誘導加熱調理器の効率は約９０％であり、電気エネルギーがすべて鍋の発熱に変換されることはなく、制御基板４上の電子部品や加熱コイル３も熱が発生する。これらの部品には耐熱保証温度がそれぞれ決められており、その温度以下で使用しなくてはならない。このため、これらの発熱部品を冷却させるために冷却装置が必要となる。
【００２２】
図２、図３に示すように、制御基板４の後方にはファン７、モータ８、ファンケース９よりなる冷却装置があり、天板２後方に開けられた吸気口１０から外気を吸入し、ファン７により制御基板４やロースター５の周囲、加熱コイル３を冷却して、排気口１１から外郭ケース１外へ排気される。
【００２３】
いま少し説明すると、ファン７は、軸流式ファン（シロッコファン）であり、モータ８によって回転させられ、風を発生させる。また、ファン７は両吸い込み式となっていて、回転軸の上下両方向から吸い込まれ、回転の円周方向に排出される。ファン７の周囲には風を整流させ、また効率よく風を発生させるために、ケーシング構成をなすファンケース９が設けられている。ファンケース９の出口は制御基板４の最も発熱の多い部品へ向けられている。吸気口１０は天板２上の後方に設けられている。天板２と同一面に設けられているため、使用者が誤って水を天板２上にこぼしてしまって、吸気口１０から水が侵入する可能性もある。このような場合においても、制御基板４に水がかからないように、吸気経路は一度ファン７より下まで案内され水が下に落ちるようにした後、空気のみがファン７に吸入されるようになっている。
【００２４】
以上のような構成において、モータ８を支持している仕切り板を境に、ファンケース９は上下に分割されている。ファンケース９のうち、その上方部位のファンケース９には、ファン７による冷却風に忌避効果を付与する忌避手段１２が施されている。忌避手段１２は、ファンケース９に忌避剤を塗布するか、忌避剤を含浸あるいは練り込んで構成し、空気中に徐々に蒸散して周囲に忌避効果を行き渡らせている。ファンケース９の内側に忌避剤が塗布してあると、蒸散した忌避剤は冷却風に乗って、調理器内部に拡散しやすく、また、外側に忌避剤が塗布してあると、ファン７が停止した後にも、調理器内部の余熱により蒸散が促進され、忌避剤が拡散しやすくなる。
【００２５】
以上のような構成により、ファンケース９から気化蒸散した忌避剤は、冷却風により加熱調理器内部の隅々まで送られ、調理器全体に忌避効果を行き渡らせ、ゴキブリから守ることができる。また、忌避剤を上方部位のファンケース９に塗布することにより、忌避剤が吸気口１０から入ってきた水や油等の液体によって流されたり、忌避剤の表面が水や油等の液体によって覆われてしまったりすることがなく、忌避剤の蒸散を妨げることがない。また、忌避効果は、制御基板４の回路上への接触を防ぐためだけに忌避剤を制御基板表面や基板ベースに塗布した場合に比べて、油等が制御基板４に付着してからも常に新しい忌避成分が行き渡るため、忌避効果が長く続く。また、調理器内部全体に忌避剤が行き渡るので、ゴキブリの調理器内部への侵入を未然に防止することができる。よって、糞や死骸によるにおいの発生等、衛生面においても効果がある。また、外郭ケース１の多くの隙間や穴から蒸散した忌避剤が漏れ出すので、調理器内部だけでなく、システムキッチンのカウンター枠の内部、つまり調理器下に設置された収納部にも忌避効果が得られる。
【００２６】
（実施の形態２）
図４〜図６は、本発明の実施の形態２における加熱調理器を示すものである。実施の形態１と同一要素については同一符号を付して説明を省略する。
【００２７】
図に示すように、本実施の形態における加熱調理器は、モータ８付近を通る吸気経路１３の途中に、忌避手段１２を着脱可能なようにセットしているものである。
【００２８】
ここで、天板２の後方に設けられた吸気口１０から吸入された空気は、一度調理器の底面近くまで下りていく。そのため、吸気口１０から進入した水や油等の液体は外郭ケース１底面にたまり、ファン７に吸引されにくい。ファン７は上下両方から吸い込む形態のもので、モータ８が支持される側からも吸い込まれていく。このため、モータ８の冷却も同時に可能となる。このモータ８付近を通る吸気経路１３は、外郭ケース１底面よりかなり高い位置であり、ファン７よりも高位置であるので、液体の吸い込みはほとんどなく、忌避手段１２への影響はない。
【００２９】
この吸気経路１３の途中の忌避手段１２は、図５に示すように、忌避剤１４とこれを入れた忌避剤ケース１５から構成されている。また、忌避剤ケース１５は吸気口１０より小さく、図６に示すように、吸気口１０から手を差し入れて吸気経路１３の途中の取り付け部分であるファンケース９に対して着脱できるようになっている。つまり、施工業者ではなく一般の使用者も簡単に忌避手段１２を交換することができる。
【００３０】
前記忌避剤ケース１５は樹脂で構成されていて、中に固体やゲル状、粒状の忌避剤１４がセットされている。忌避剤ケース１５は上下が網目となっており、その中を冷却風が通過できるように構成し、中の忌避剤１４にも穴を開けたり、粒状の隙間から冷却風を通過させたりすることにより、蒸散した忌避剤を冷却風中により多く含ませることができる。忌避剤ケース１５は開閉分離できるようになっていて、中の忌避剤１４が蒸散していき、効果が薄くなってくれば、中の忌避剤１４の状態を確認した上で詰め替えすることで常に忌避効果を発揮することができる。また、簡易に忌避剤ケース１５に固形の忌避剤１４を圧入するだけの構成でも効果は得ることができる。
【００３１】
以上のような構成により、忌避手段１２に直接水や油等の液体が付着することを防ぎ、忌避剤の蒸散の妨げとなることがなく、安定した蒸散量を得ることができ、長期間、忌避効果を得ることができる。また、忌避効果が薄まってくれば簡単に忌避剤１４を交換できるので、忌避効果を半永久的に継続させることができる。また、忌避剤ケース１５を開閉分離することで、忌避剤１４に直接触れることなく交換ができるので、肌の弱い方にも安心して使用してもらうことができる。また、忌避剤ケース１５を開閉自在にして中の忌避剤１４だけを交換することができるので、低価格化、合理化をすることができる。
【００３２】
（実施の形態３）
図７は、本発明の実施の形態３における加熱調理器を示すものである。実施の形態１と同一要素については同一符号を付して説明を省略する。
【００３３】
図に示すように、本実施の形態における加熱調理器は、ファン７による吸気経路１３以外に、外郭ケース１内部より一部の冷却風を再吸入する再吸気経路１６を設け、この再吸気経路１６の途中に忌避手段１２を設けたものである。
【００３４】
すなわち、ファンケース９の天板２付近に調理器内部の加熱コイル３等を冷却してきた冷却風を再吸入するようにした。これにより、内部を冷却した後の温かい風により、忌避手段１２における忌避剤の蒸散を促進させるようにしている。ただし、再吸気経路１６の流量は、冷却風の温度上昇につながるので、調理器内部の冷却性能を十分に満たすことができる範囲で決定することが必要である。
【００３５】
このように、ファン７により排出された冷却風は、制御基板４上の発熱部品を冷却した後、上方に送られ、加熱コイル３を冷却する。また調理器の左側に送られた冷却風はロースター５周囲を冷却する。このように各部でそれぞれの部品を冷却した冷却風は、外気より温度が高く、また乾燥している。この冷却後の空気を忌避手段１２に通過させることにより、忌避剤の蒸散が外気を通過させるときよりも多くなる。また、忌避手段１２は、実施と形態２と同様な構成とし、忌避剤ケースを着脱可能な形態とすることにより、取扱いが容易となる。本実施の形態において、忌避手段１２の着脱は、図示していないが、例えば、専用の着脱口等から適宜行えるようになっている。
【００３６】
以上のような構成により、忌避手段１２の忌避剤の蒸散量をより多くすることができ、調理器内部の忌避効果を高めることができる。また、吸気口１０からの水や油等の液体の侵入に対しても、忌避手段１２が影響を受けることがない。
【００３７】
なお、外郭ケース１を覆う天板２の忌避手段１２との対向部分を透明にすることにより、外郭ケース１の外側から忌避手段１２の状態を簡単に目視で確認できる。このようにすることで、忌避手段１２の忌避剤の交換時期を判断しやすくなり、忌避効果が薄くなってくればすぐに対応することができる。
【００３８】
上記した各実施の形態１〜３の構成は、必要に応じて適宜組み合わせることができるものであり、実施の形態そのものに限定されるものではない。
【産業上の利用可能性】
【００３９】
以上のように、本発明にかかる加熱調理器は、簡易に調理器全体に忌避効果を継続して発揮し、調理器全体をゴキブリから守ることができるので、システムキッチンのカウンター枠に組み込んだ誘導加熱調理器や、据え置き型の誘導加熱調理器に限らず、ファンを有する加熱調理器全般に適用することができる。
【図面の簡単な説明】
【００４０】
【図１】本発明の実施の形態１における加熱調理器の分解斜視図
【図２】同加熱調理器の断面図
【図３】同加熱調理器の要部拡大断面図
【図４】本発明の実施の形態２における加熱調理器の要部拡大断面図
【図５】同加熱調理器における忌避手段の分解斜視図
【図６】同加熱調理器における忌避手段の着脱状態を示す斜視図
【図７】本発明の実施の形態３における加熱調理器の要部拡大断面図
【符号の説明】
【００４１】
１  外郭ケース
２  天板
３  加熱コイル
４  制御基板
５  ロースター
６  操作部
７  ファン
８  モータ
９  ファンケース
１０  吸気口
１１  排気口
１２  忌避手段
１３  吸気通路
１４  忌避剤
１５  忌避剤ケース
１６  再吸気経路
【図１】
2005310520.tif 000003
【図２】
2005310520.tif 000004
【図３】
2005310520.tif 000005
【図４】
2005310520.tif 000006
【図５】
2005310520.tif 000007
【図６】
2005310520.tif 000008
【図７】
2005310520.tif 000009